(57)【要約】【課題】複数種類の通信網による通信機能を有する通信端末について、いずれの番号に対して着信があった場合でも同様に付加サービスを提供する。【解決手段】複数種類の通信網による通信機能を有する通信端末に対して発信された場合、発信されたＩＤ情報を、着側端末を一意に識別可能な共通キー情報に変換して発信番号に付加し、この情報が付加された発信番号を着側通信装置に送る。共通キー情報を元に付加サービスを提供することにより、いずれの番号に対して着信があった場合でも同じ付加サービスを提供できる。【選択図】      図１
2008244797.tif 000002
【特許請求の範囲】
【請求項１】
複数種類の通信網による通信機能を有する通信端末を着信側とし、かつ、前記複数種類の通信網のいずれか１つを利用する発信呼に応答して、発信されたＩＤをそれに対応する共通キー情報に変換する変換装置と、前記共通キー情報に基づいて、着信側の通信網において付加サービスを提供する付加サービス提供装置とを含むことを特徴とする付加サービス提供システム。
【請求項２】
前記共通キー情報は、着側通信端末装置と発側通信端末装置とのいずれか一方を一意に識別できる情報であることを特徴とする請求項１記載の付加サービス提供システム。
【請求項３】
前記共通キー情報が前記着側通信端末装置を一意に識別できる情報である場合に、
前記付加サービスは、通信圏外の状態等により着側通信端末装置が応答できない場合に発側通信端末装置から入力されたメッセージを蓄積する留守番電話サービス、予め設定された着信メロディーをリングバックトーンとして発側通信端末装置に出力するサービス、の少なくとも１つであることを特徴とする請求項２記載の付加サービス提供システム。
【請求項４】
前記共通キー情報が前記発側通信端末装置を一意に識別できる情報である場合に、
前記付加サービスは、前記共通キー情報に対応する発側通信端末装置による着信を拒否する迷惑電話防止サービスであることを特徴とする請求項２記載の付加サービス提供システム。
【請求項５】
複数種類の通信網による通信機能を有する通信端末を着信側とし、かつ、前記複数種類の通信網のいずれか１つを利用する発信呼に応答して、発信されたＩＤをそれに対応する提供可能な付加サービスを示すサービス情報に変換する変換装置と、前記サービス情報に基づいて、着信側の通信網において付加サービスを提供する付加サービス提供装置とを含むことを特徴とする付加サービス提供システム。
【請求項６】
複数種類の通信網による通信機能を有する通信端末を着信側とし、かつ、前記複数種類の通信網のいずれか１つを利用する発信呼に応答して、発信されたＩＤをそれに対応する共通キー情報に変換するステップと、前記共通キー情報に基づいて、着信側の通信網において付加サービスを提供するステップとを含むことを特徴とする付加サービス提供方法。
【請求項７】
複数種類の通信網による通信機能を有する通信端末を着信側とし、かつ、前記複数種類の通信網のいずれか１つを利用する発信呼に応答して、発信されたＩＤをそれに対応する提供可能な付加サービスを示すサービス情報に変換するステップと、前記サービス情報に基づいて、着信側の通信網において付加サービスを提供するステップとを含むことを特徴とする付加サービス提供方法。
【発明の詳細な説明】
【技術分野】
【０００１】
本発明は付加サービス提供システム、付加サービス提供方法に関し、特に留守番電話サービス等の付加サービスを提供する付加サービス提供システム、付加サービス提供方法に関する。
【背景技術】
【０００２】
一般に、複数種類の通信網（つまり複数ベアラ）による通信機能を有する通信端末装置が知られている。例えば、ＩＭＴ−２０００規格に準拠した通信網、ＩＰ（Internet Protocol）電話網、による通信を、１つの通信端末装置で利用できるようになっている。前者の通信網は「０９０」で始まる番号帯（以下、「０９０番号」と称する）を採用していることが多く、後者の通信網は「０５０」で始まる番号帯（以下、「０５０番号」と称する）を採用していることが多い。これらの通信網を利用する場合、通信キャリア（つまり通信回線提供業者）との契約内容により、留守番電話サービスなどの付加サービスの提供を受けることができる。
【０００３】
図６は、付加サービスの提供処理例を示す図である。同図に示されている通信システムでは、以下のような付加サービスの提供が想定される。
０９０番号を採用している通信網のサービスエリア圏内に位置している発側通信端末装置１から、０５０番号を採用している通信網のサービスエリア圏内に位置している着側通信端末装置２に向けて呼信号が発信されると（ステップＳ６０１）、発側通信装置１１からユーザ管理装置１２へ、ＩＤ情報の検索処理が行われる（ステップＳ６０２）。ユーザ管理装置は、ネットワーク管理を行っている電話番号帯のみのユーザ管理を行っており、電話番号と付加サービスとの対応付け（「紐付け」と称されることがある）はそれぞれの通信網内のユーザ管理装置１２、１２’で行われている。
【０００４】
この検索によって取得された０５０番号は、関門通信装置１３を介して着側通信装置１４へ送信される（ステップＳ６０３、Ｓ６０３’）。着側通信装置１４は、ユーザ管理装置１２’に対し、０５０番号に対応付けられている付加サービスの検索処理を行う（ステップＳ６０４）。着側通信装置１４は、この検索処理によって取得した付加サービスを含むサービス要求信号を、付加サービス提供装置１５へ送信し、サービス要求処理を行う（ステップ６０５）。
【０００５】
以上の処理を経て、付加サービスの提供が行われる。ここでの付加サービスには、例えば、通信圏外の状態等により着側通信端末装置が応答できない場合に発側通信端末装置から入力されたメッセージを蓄積する留守番電話サービス、予め設定された着信メロディーをリングバックトーンとして発側通信端末装置に出力するメロディコール（登録商標）サービス、予め設定された発側ＩＤからの着信を拒否する迷惑電話防止サービス、がある。
【０００６】
ここで、発側通信端末装置１及び着側通信端末装置２についてのＩＤ情報の対応関係が図７に示されている。本例では、発側通信端末装置１の０９０番号は「０９０−１ＸＸＸ−ＸＸＸＸ」、０５０番号は「０５０−２ＸＸＸＸ−ＸＸＸＸ」である（「Ｘ」は任意の自然数、以下同じ）。一方、着側通信端末装置２の０９０番号は「０９０−３ＸＸＸ−ＸＸＸＸ」、０５０番号は「０５０−４ＸＸＸＸ−ＸＸＸＸ」である。
【０００７】
このように対応付けられているため、０９０番号である「０９０−３ＸＸＸ−ＸＸＸＸ」について呼信号が発信された場合、０５０番号である「０５０−４ＸＸＸＸ−ＸＸＸＸ」について呼信号が発信された場合、のいずれの場合においても着側通信端末装置２への着信処理が行われることになる。
ところで、電話番号（すなわち通信端末を識別するためのＩＤ番号）の内容に基づいてサービスを提供するかどうか判定する点が、特許文献１に記載されている。
【特許文献１】特開２００１−１７４９０３号公報
【発明の開示】
【発明が解決しようとする課題】
【０００８】
図６を参照して説明した付加サービスの提供処理において、着信処理が行われる場合、０９０番号、０５０番号のいずれであっても、着側が通信端末装置２であることには変わりがないため、留守番電話サービスなどの付加サービスについても同様のサービスを提供することが望ましい。
しかしながら、付加サービスを提供する場合、０５０番号を採用している通信網、０９０番号を採用している通信網、のそれぞれにおいて、別々に付加サービスが提供されると、発信された番号により、提供されるサービスが異なる可能性がある。これでは不都合であるため、一方の番号に発信された場合には他方の番号に発信された場合に提供される付加サービスを検索し、それと同様の付加サービスを提供する必要がある。したがって、発側通信端末装置から発信されたＩＤ情報に基づいて、そのＩＤ情報によって識別できる通信端末装置に提供可能な付加サービスが、それぞれの通信網のユーザ管理装置で検索処理されることになる。
【０００９】
ここで、特許文献１に記載されている技術では、１つの番号に対して着信があった場合については付加サービスを提供できるが、他の番号に対して着信があった場合については付加サービスを提供できない、という問題がある。
本発明は上述した従来技術の問題点を解決するためになされたものであり、その目的は複数種類の通信網による通信機能を有する通信端末については、いずれの番号に対して着信があった場合でも同様に付加サービスを提供できる付加サービス提供システム、付加サービス提供方法を提供することである。
【課題を解決するための手段】
【００１０】
本発明の請求項１による付加サービス提供システムは、複数種類の通信網による通信機能を有する通信端末を着信側とし、かつ、前記複数種類の通信網のいずれか１つを利用する発信呼に応答して、発信されたＩＤをそれに対応する共通キー情報に変換する変換装置と、前記共通キー情報に基づいて、着信側の通信網において付加サービスを提供する付加サービス提供装置とを含むことを特徴とする。このような構成によれば、いずれの通信網による着信に対しても、付加サービスを同様に提供することができる。
【００１１】
本発明の請求項２による付加サービス提供システムは、請求項１において、
前記共通キー情報は、着側通信端末装置と発側通信端末装置とのいずれか一方を一意に識別できる情報であることを特徴とする。着側通信端末装置又は発側通信端末装置を一意に識別できる情報に変換し、変換した情報に基づいて付加サービスを提供することにより、いずれの通信網による着信に対しても、付加サービスを同様に提供することができる。
【００１２】
本発明の請求項３による付加サービス提供システムは、請求項２において、
前記共通キー情報が前記着側通信端末装置を一意に識別できる情報である場合に、
前記付加サービスは、通信圏外の状態等により着側通信端末装置が応答できない場合に発側通信端末装置から入力されたメッセージを蓄積する留守番電話サービス、予め設定された着信メロディーをリングバックトーンとして発側通信端末装置に出力するサービス、の少なくとも１つであることを特徴とする。このような構成によれば、いずれの通信網による着信に対しても、上記付加サービスを同様に提供することができる。
【００１３】
本発明の請求項４による付加サービス提供システムは、請求項２において、
前記共通キー情報が前記発側通信端末装置を一意に識別できる情報である場合に、
前記付加サービスは、前記共通キー情報に対応する発側通信端末装置による着信を拒否する迷惑電話防止サービスであることを特徴とする。このような構成によれば、いずれの通信網による着信に対しても、迷惑電話防止サービスを同様に提供することができる。
【００１４】
本発明の請求項５による付加サービス提供システムは、複数種類の通信網による通信機能を有する通信端末を着信側とし、かつ、前記複数種類の通信網のいずれか１つを利用する発信呼に応答して、発信されたＩＤをそれに対応する提供可能な付加サービスを示すサービス情報に変換する変換装置と、前記サービス情報に基づいて、着信側の通信網において付加サービスを提供する付加サービス提供装置とを含むことを特徴とする。このような構成によれば、いずれの通信網による着信に対しても、付加サービスを同様に提供でき、しかも、提供可能な付加サービスの検索を着信側の通信網において行う必要がない。
【００１５】
本発明の請求項６による付加サービス提供方法は、複数種類の通信網による通信機能を有する通信端末を着信側とし、かつ、前記複数種類の通信網のいずれか１つを利用する発信呼に応答して、発信されたＩＤをそれに対応する共通キー情報に変換するステップと、前記共通キー情報に基づいて、着信側の通信網において付加サービスを提供するステップとを含むことを特徴とする。このような構成によれば、いずれの通信網による着信に対しても、付加サービスを同様に提供することができる。
【００１６】
本発明の請求項７による付加サービス提供方法は、複数種類の通信網による通信機能を有する通信端末を着信側とし、かつ、前記複数種類の通信網のいずれか１つを利用する発信呼に応答して、発信されたＩＤをそれに対応する提供可能な付加サービスを示すサービス情報に変換するステップと、前記サービス情報に基づいて、着信側の通信網において付加サービスを提供するステップとを含むことを特徴とする。このようにすれば、いずれの通信網による着信に対しても、付加サービスを同様に提供でき、しかも、提供可能な付加サービスの検索を着信側の通信網において行う必要がない。
【発明の効果】
【００１７】
本発明によれば、ワンナンバー契約されている着側通信端末装置に対して発信された場合、発信されたＩＤを、着側通信端末装置を一意に識別可能な共通キー情報に変換し、その共通キー情報に基づいて、着信側の通信網において付加サービスを提供することにより、ワンナンバー契約されたいずれの通信網に対して着信があった場合でも同じ付加サービスを提供できるという効果がある。
また、発信されたＩＤをそれに対応する提供可能な付加サービスを示すサービス情報に変換し、そのサービス情報に基づいて、着信側の通信網において付加サービスを提供することにより、いずれの通信網による着信に対しても、付加サービスを同様に提供でき、しかも、提供可能な付加サービスの検索を着信側の通信網において行う必要がないという効果がある。
【発明を実施するための最良の形態】
【００１８】
以下、本発明の実施の形態を、図面を参照して説明する。なお、以下の説明において参照する各図では、他の図と同等部分は同一符号によって示されている。
（実施の形態）
図１は、本実施形態による付加サービス提供システムの構成を示すブロック図である。同図には、発側通信端末装置１、発側通信装置１１、ユーザ管理装置１２、関門通信装置１３、着側通信装置１４、付加サービス提供装置１５、着側通信端末装置２が示されている。発側通信端末装置１に対する着側通信端末装置２は、２つのＩＤ情報すなわち０９０番号と０５０番号との両方を有しており、１台の端末装置で２種類の通信網による発着信が可能になっている。本システムでは、発側通信端末装置１から着側通信端末装置２へ向けて呼信号が発信された場合、呼信号に含まれているＩＤ情報を、ユーザ（より正確にはそのユーザの通信端末装置）を一意に識別できる共通キー情報に変換する。そして、この変換後の共通キー情報を用いて付加サービスの提供を行う。
【００１９】
ここで、発側通信端末装置１及び着側通信端末装置２についてのＩＤ情報、共通キー情報の対応関係が図２に示されている。本例では、発側通信端末装置１の０９０番号は「０９０−１ＸＸＸ−ＸＸＸＸ」、０５０番号は「０５０−２ＸＸＸＸ−ＸＸＸＸ」である（「Ｘ」は任意の自然数、以下同じ）。そして、これらに対応付けられている、共通キー情報は「共通キー情報Ｂ」である。
一方、着側通信端末装置２の０９０番号は「０９０−３ＸＸＸ−ＸＸＸＸ」、０５０番号は「０５０−４ＸＸＸＸ−ＸＸＸＸ」である。そして、これらに対応付けられている、共通キー情報は「共通キー情報Ａ」である。後述するように、着側通信端末装置２への呼に含まれているＩＤ情報が０９０番号、０５０番号のいずれであっても、発側通信装置において、共通キー情報に変換される。
【００２０】
図１に戻り、発側通信端末装置１から呼信号が発信されると（ステップＳ１０１）、発側通信装置１１からユーザ管理装置１２へ、共通キー情報の検索処理が行われる（ステップＳ１０２）。検索結果である共通キー情報は、関門通信装置１３を介して着側通信装置１４へ送信される（ステップＳ１０４、Ｓ１０４’）。着側通信装置１４は、ユーザ管理装置１２へ、共通キー情報に対応付けられている付加サービスの検索処理を行う（ステップＳ１０５）。着側通信装置１４は、検索処理によって取得した共通キー情報を含むサービス要求信号を、付加サービス提供装置１５へ送信し、サービス要求処理を行う（ステップＳ１０６）。以上の処理を経て、付加サービスの提供が行われる。
【００２１】
（動作例）
図３は、上述した付加サービス提供システムの動作例を示すシーケンス図である。本例では、ＩＤ情報を、ユーザ（より正確にはそのユーザの通信端末装置）を一意に識別できる情報に変換する。
同図には、発側通信端末装置１、発側通信装置１１、ユーザ管理装置１２、関門通信装置１３、着側通信装置１４、付加サービス提供装置１５、の各々の間での信号授受や各装置内での処理の内容が示されている。発側通信端末装置１に対する着側通信端末装置は、２つのＩＤ情報すなわち０９０番号と０５０番号との両方を有しており、１台の端末装置で２種類の通信網による発着信が可能になっている。
【００２２】
同図において、最初に、発側通信端末装置１から着側通信端末装置のＩＤ情報の１つである０５０番号への呼信号が発信される（ステップＳ１０１）。この呼信号を受取った発側通信装置１１は、その０５０番号を共通キー情報に変換するため、検索要求信号をユーザ管理装置１２に送信する（ステップＳ１０２）。この検索要求信号には０５０番号が含まれている。
ユーザ管理装置１２は０５０番号に対応する共通キー情報を管理している。本例では、０５０番号、０９０番号に対する共通キー情報として、０９０番号を用いる。つまり、０９０番号をキー情報として持ち回り、０５０番号を採用している通信網であっても、付加サービスについては、０９０番号を採用している通信網の付加サービス提供装置により付加サービスを起動する。
【００２３】
発側通信装置１１からの検索要求信号を受取ったユーザ管理装置１２は、０５０番号に対応する共通キー情報を検索する（ステップＳ１０２’）。ユーザ管理装置１２は、検索によって得られた共通キー情報を、発側通信装置１１へ返信する（ステップＳ１０２”）。
ユーザ管理装置１２から共通キー情報を取得した発側通信装置１１は、その共通キー情報を付加した呼信号を着側通信装置１４に向けて送信する（ステップＳ１０３）。これにより、共通キー情報及び０５０番号が含まれている呼信号が、関門通信装置１３を介して着側通信装置１４に送られる（ステップＳ１０４、ステップＳ１０４’）。
この呼信号を受信した着側通信装置１４は、共通キー情報に対応付けられている付加サービスが何であるか調べるため、検索要求信号をユーザ管理装置１２に送信する（ステップＳ１０５）。この検索要求信号には共通キー情報が含まれている。
【００２４】
ユーザ管理装置１２は０５０番号や共通キー情報に対応する付加サービスすなわちそれらのＩＤ情報に対応するユーザに提供可能な付加サービス（つまり契約している付加サービス）を管理している。着側通信装置１４からの検索要求信号を受取ったユーザ管理装置１２は、共通キー情報に対応する付加サービスデータを検索する（ステップＳ１０５’）。この付加サービスデータは、留守番電話サービス、メロディコール、迷惑電話サービスなどの付加サービスの名称である。付加サービスの名称に限らず、その付加サービスを特定するための番号などを付加サービスデータとしてもよい。ユーザ管理装置１２は、検索によって得られた付加サービスデータを、着側通信装置１４へ返信する（ステップＳ１０５”）。
【００２５】
ユーザ管理装置１２から付加サービスデータを取得した着側通信装置１４は、その付加サービスデータを付加したサービス要求信号を付加サービス提供装置１５に向けて送信する（ステップＳ１０６）。このサービス要求信号を受信した付加サービス提供装置１５では、付加サービスを提供するために必要な処理を行う（ステップＳ１０６’）。その後、付加サービスが提供される（ステップＳ１０７）。
【００２６】
以上のように、発側通信端末装置からの呼信号に含まれているＩＤ情報を共通キー情報に変換し、変換後の共通キー情報を用いて着側通信装置が付加サービスデータを検索することにより、２つのＩＤ情報のどちらを用いて発信した場合でも同じ付加サービスの提供を受けることができる。なお、本例では、０５０番号、０９０番号の共通キー情報として０９０番号を用いているが、これに限らず全く別の情報を共通キー情報として用いてもよい。
【００２７】
（付加サービス提供例）
以下、本システムによる付加サービスの提供例について説明する。
＜留守番電話サービス＞
留守番電話メッセージの内容を記録する装置が、０９０番号を採用している通信網、０５０番号を採用している通信網で異なると、その記録内容を聴くには２つの装置へのアクセスが必要になるという不都合がある。このため、本システムでは、発信されたＩＤ情報を、発側通信端末装置を一意に識別できる共通キー情報に変換し、両通信網に共通の記録装置に、共通キー情報に基づいて記録しておけば、アクセスすべき記録装置は１つだけで済む。
しかも共通キー情報を持ち回ることによって、既存設備による付加サービスを提供する圏外か圏内かについて、発側の通信装置で検索されるので、圏外の場合には留守番電話サービスを直ちに起動できる。
【００２８】
＜メロディコール（登録商標）の例＞
予め指定された曲をリングバックトーンとして流す（つまり発側通信端末装置において出力する）付加サービスが通信網の一方（例えば０５０番号を採用している通信網）で行われていない場合、本システムでは、発信されたＩＤ情報を、着側通信端末装置を一意に識別できる共通キー情報に変換し、この共通キー情報に基づいてサービスを提供するので、０５０番号を採用している通信網で設定しておいた曲を、０５０番号を採用している通信網においても流すことができる。
【００２９】
＜迷惑電話サービス＞
迷惑電話サービスは、設定したＩＤ情報（すなわち電話番号）からの着信を拒否することができるサービスである。
複数種類の通信網による通信機能を有する通信端末装置では、１つのＩＤ情報について着信拒否を設定しても、他のＩＤ情報で発信されると着信拒否できない。このため、本システムでは、発信されたＩＤ情報を、発側通信端末装置を一意に識別できる共通キー情報に変換し、着信拒否処理を行うか否かについてはこの共通キー情報で管理する。つまり、共通キー情報に基づいて着信拒否制御を行う。
【００３０】
＜ドライブモード設定＞
自動車を運転する場合、通信端末装置にドライブモードを設定すると、その通信端末装置への着信を規制することができる。０９０番号を採用している通信網のサービスエリア圏内に位置している発側通信端末装置において、ドライブモードを設定すれば、０５０番号を採用している通信網のサービスエリア圏内に位置している場合においても、同様にドライブモードを設定することができる。つまり、２つの通信網の両方においてドライブモードを設定する必要はなく、しかも２つの番号のどちらに着信があっても、１つの端末について両方への通信網での規制を行うことができる。
＜転送電話サービス＞
転送電話サービスは、発信されたＩＤ情報とは異なるＩＤ情報へ呼を転送するサービスである。本システムでは、発信されたＩＤ情報を共通キー情報に変換し、この共通キー情報に対応するＩＤ情報へ、呼の転送を行う。
【００３１】
（変形例）
以上、本発明の実施形態について説明したが、本発明は当該実施の形態に限定されるものではなく、その技術思想の範囲内で様々な変形が可能である。変形例としては、例えば以下のようなものが考えられる。
図４は、上述した付加サービス提供システムの変形例の構成を示すブロック図である。同図において、本システムでは、発側通信装置において共通キー情報に変換するのでは無く、受けることのできる付加サービスを示す付加サービスデータに変換し、これを着側通信装置に送信する。この点が図１〜図３の場合とは異なる。
【００３２】
図４において、発側通信端末装置１から呼信号が発信されると（ステップＳ２０１）、発側通信装置１１からユーザ管理装置１２へ、付加サービスデータの検索処理が行われる（ステップＳ２０２）。検索結果である付加サービスデータは、関門通信装置１３を介して着側通信装置１４へ送信される（ステップＳ２０４、Ｓ２０４’）。着側通信装置１４は、付加サービス提供装置１５へ、付加サービスデータを含むサービス要求信号を送信し、サービス要求処理を行う（ステップＳ２０５）。以上の処理を経て、付加サービスの提供が行われる。
【００３３】
図５は、図４の付加サービス提供システムの動作例を示すシーケンス図である。同図には、発側通信端末装置１、発側通信装置１１、ユーザ管理装置１２、関門通信装置１３、着側通信装置１４、付加サービス提供装置１５、の各々の間での信号授受や各装置内での処理の内容が示されている。発側通信端末装置１に対する着側通信端末装置は、２つのＩＤ情報すなわち０９０番号と０５０番号との両方を有しており、１台の端末装置で２種類の通信網による発着信が可能になっている。
【００３４】
同図において、最初に、発側通信端末装置１から着側通信端末装置のＩＤ情報の１つである０５０番号への呼信号が発信される（ステップＳ２０１）。この呼信号を受取った発側通信装置１１は、その０５０番号を付加サービスデータに変換するため、検索要求信号をユーザ管理装置１２に送信する（ステップＳ２０２）。この検索要求信号には０５０番号が含まれている。
ユーザ管理装置１２は０５０番号に対応する付加サービスデータを管理している。
発側通信装置１１からの検索要求信号を受取ったユーザ管理装置１２は、０５０番号に対応する付加サービスデータを検索する（ステップＳ２０２’）。ユーザ管理装置１２は、検索によって得られた付加サービスデータを、発側通信装置１１へ返信する（ステップＳ２０２”）。
【００３５】
ユーザ管理装置１２から付加サービスデータを取得した発側通信装置１１は、その付加サービスデータを付加した呼信号を着側通信装置１４に向けて送信する（ステップＳ２０３）。これにより、付加サービスデータ及び０５０番号が含まれている呼信号が、関門通信装置１３を介して着側通信装置１４に送られる（ステップＳ２０４、ステップＳ２０４’）。
この呼信号を受信した着側通信装置１４は、付加サービスデータを付加したサービス要求信号を付加サービス提供装置１５に向けて送信する（ステップＳ２０５）。このサービス要求信号を受信した付加サービス提供装置１５では、付加サービスを提供するために必要な処理を行う（ステップＳ２０５’）。その後、付加サービスが提供される（ステップＳ２０６）。
【００３６】
以上のように、発側通信端末装置からの呼信号に含まれているＩＤ情報を付加サービスデータに変換し、この付加サービスデータに基づいて付加サービスを提供することにより、２つのＩＤ情報のどちらを用いて発信した場合でも同じ付加サービスの提供を受けることができる。しかも、共通キー情報を用いず、付加サービスを特定するための付加サービスデータ（すなわち起動可能なサービスの内容を示すデータ）に直接変換しているので、着側通信装置において付加サービスの検索を行う必要がない。このため、図１〜図３を参照して説明した場合よりも、付加サービス起動時間を短縮することができる。
【００３７】
（付加サービス提供方法）
上述した付加サービス提供システムにおいては、以下のような付加サービス提供方法が採用されている。すなわち、複数種類の通信網による通信機能を有する通信端末を着信側とし、かつ、上記複数種類の通信網のいずれか１つを利用する発信呼に応答して、発信されたＩＤをそれに対応する共通キー情報に変換するステップと、上記共通キー情報に基づいて、着信側の通信網において付加サービスを提供するステップとを含む付加サービス提供方法が採用されている。このような構成によれば、いずれの通信網による着信に対しても、付加サービスを同様に提供することができる。
【００３８】
また、複数種類の通信網による通信機能を有する通信端末を着信側とし、かつ、上記複数種類の通信網のいずれか１つを利用する発信呼に応答して、発信されたＩＤをそれに対応する提供可能な付加サービスを示すサービス情報に変換するステップと、上記サービス情報に基づいて、着信側の通信網において付加サービスを提供するステップとを含む付加サービス提供方法が採用されている。この方法によれば、いずれの通信網による着信に対しても、付加サービスを同様に提供でき、しかも、提供可能な付加サービスの検索を着信側の通信網において行う必要がない。
【００３９】
（まとめ）
本発明では、異なる通信網間について共通のキー情報を持ち、異なる通信網で同じ付加サービスを提供する場合には共通のキー情報を元に検索を行い、サービス提供を行う。これにより、付加サービス提供装置のデータとして、単一のキーを持てばよいため、検索の効率が上がるとともに収容効率も向上する。
また、共通キー情報の代わりに、提供可能な付加サービスを示すサービス情報に変換し、そのサービス情報に基づいて、着信側の通信網において付加サービスを提供してもよい。これにより、いずれの通信網による着信に対しても、付加サービスを同様に提供でき、しかも、提供可能な付加サービスの検索を着信側の通信網において行う必要がない。
【産業上の利用可能性】
【００４０】
本発明は、留守番電話サービス、迷惑電話防止サービス等の付加サービスの提供に利用することができる。
【図面の簡単な説明】
【００４１】
【図１】本発明の実施の形態に係る付加サービス提供システムの構成を示すブロック図である。
【図２】図１のシステムにおいて、発側通信端末装置及び着側通信端末装置についてのＩＤ情報、共通キー情報の対応関係を示す図である。
【図３】図１の付加サービス提供システムの動作例を示すシーケンス図である。
【図４】付加サービス提供システムの変形例の構成を示すブロック図である。
【図５】図４の付加サービス提供システムの動作例を示すシーケンス図である。
【図６】付加サービスの提供処理例を示す図である。
【図７】図６のシステムにおいて、発側通信端末装置及び着側通信端末装置についてのＩＤ情報の対応関係を示す図である。
【符号の説明】
【００４２】
１  発側通信端末装置
２  着側通信端末装置
１１  発側通信装置
１２、１２’  ユーザ管理装置
１３  関門通信装置
１４  着側通信装置
１５  付加サービス提供装置
【図１】
2008244797.tif 000003
【図２】
2008244797.tif 000004
【図３】
2008244797.tif 000005
【図４】
2008244797.tif 000006
【図５】
2008244797.tif 000007
【図６】
2008244797.tif 000008
【図７】
2008244797.tif 000009